(57)【要約】【課題】粉末状の濾過材の使用にも適した濾過装置を提供する。【解決手段】油槽と、この油槽の内底面に設置されるフィルターと、この油槽の内部であって且つフィルターの上部にフィルターによって底側を塞がれた状態で設置される筒状の枠体を有する。濾過は、枠体の上方から油と濾過材を投入して行う。【選択図】図１
2008148966.tif 000002
【特許請求の範囲】
【請求項１】
油槽と、この油槽の内底面に設置されるフィルターと、この油槽の内部であって且つ前記フィルターの上部に前記フィルターによって底側を塞がれた状態で設置される筒状の枠体を有し、前記枠体の上方から油と濾過材を投入して濾過を行うことを特徴とする濾過装置。
【請求項２】
請求項１記載の濾過装置において、前記フィルターは、前記枠体の底側を塞ぐ底面と、該底面の周囲を折り曲げることによって形成された立ち上がりを有する装置。
【請求項３】
請求項２記載の濾過装置において、前記油槽の内底面に設置された前記フィルターの底面は、前記油槽の内底面の略全体を覆い、前記フィルターの立ち上がりは、隣接する立ち上がりの縁同士を互いに密着させた状態で、それらの外面を油槽の内側壁面に密着させた状態となる装置。
【請求項４】
請求項１乃至３のいずれかに記載の濾過装置において、更に、前記枠体の中空上方に配置され得る濾過材投入攪拌用の容器を有する装置。
【発明の詳細な説明】
【技術分野】
【０００１】
本発明は、濾過装置、特に、粉末状の濾過材の使用にも適した濾過装置に関する。
【背景技術】
【０００２】
てんぷらやフライに使用される食用油には、使用に伴い、浮遊物や沈殿物が生じまた酸化や劣化が生じ得る。この問題を解決するため、食用油を濾過するための様々な濾過装置が開発されている。濾過装置のなかには、単に、浮遊物や沈殿物を除去するだけでなく、特開２００２−１８８０９９４号や特開２００１−１９０９０６号に開示されているように、活性白土等の粉末状の濾過材を用いて油の酸化や劣化の改善を図ることができるものもある。
【０００３】
このような粉末状の濾過材は、油の酸化や劣化を改善させるという点では有用であるが、使用後の清掃が面倒であり、また、濾過装置に目詰まりを生じさせる等の危険もある。取り扱いを容易にするため、例えば、後者の特開２００１−１９０９０６号には、濾過材を袋に詰めて使用する方法が開示されているが、このような方法では、油と濾過材の間の混合や反応が不十分となりがちであり、また、処理時間も長くなるといった欠点があり、更に、所定の効果を得るために粉末状に比べて大量の濾過材が必要になる等の欠点がある。従って、できれば粉末状で使用するのが好ましい。
【０００４】
粉末状の濾過材を使用する場合、或いは、通常の濾過材を行う場合も、一般に、フィルターは油槽の内底面へ固定される。フィルターを油槽に密着固定させ、フィルターの濾過効率を向上させるため、例えば、おもり式や固定式の方法が考え出されている。おもり式とは、押さえ枠をフィルターを設置した油槽の内底面へ落とし、押え枠自体の重みによって油槽中のフィルターを押える方法であるが、この方法は、押さえ枠の重量と面精度が要求されるためコストがかかるといった問題があり、また、押さえ枠が重いため押さえ枠の着脱がやっかいであるといった問題もある。また、固定式とは、押さえ枠をフィルターが設置された油槽の内底面へ落とし、油槽内に設けた固定金具を用いて、これを着脱自在に抑え付けてフィルターを押える方法を意味するが、この方法は、確実にフィルターを密着させることができる利点を有する一方で、油槽内に設けた固定金具の開閉操作時等に手が汚れるといった問題がある。更に、上記いずれの方法にも、依然としてフィルターと油槽の間の密着は不十分であり、また、使用後の清掃性が低い、例えば、油槽の底面や壁面、押さえ枠、押さえ金具等に大量の濾過材が付着してしまうため清掃が非常に面倒であるといった問題がある。
【０００５】
尚、一般に使用されているフィルターは単に平面状にしたものが多いが、この場合、フィルター全面に濾過材が堆積してしまうと油槽内からフィルターを取り出す際に、フィルターに堆積した濾過材が油槽の内部にこぼれ落ちてしまう恐れがあり、取り扱いが厄介で、機器の清掃にも手間がかかるといった問題がある。また、このような平面状のフィルターは、油槽から取り出す際に指で掴み難いといった問題もある。更に、従来の濾過装置では、濾過材を投入し油を入れた後に手作業で攪拌することとされているため、手間がかかるのは勿論、手作業のために攪拌にばらつきが出ることが多く、この結果、濾過効率が低下してしまうといった問題もある。
【０００６】
【特許文献１】特開２００２−１８８０９９４号
【特許文献２】特開２００１−１９０９０６号
【発明の開示】
【発明が解決しようとする課題】
【０００７】
本発明は、上述した従来技術における問題点を解決するためになされたものであり、特に、粉末状の濾過材の使用にも適した濾過装置を提供することを目的とする。
【課題を解決するための手段】
【０００８】
本発明は、油槽と、この油槽の内底面に設置されるフィルターと、この油槽の内部であって且つ前記フィルターの上部に前記フィルターによって底側を塞がれた状態で設置される筒状の枠体を有し、前記枠体の上方から油と濾過材を投入して濾過を行う濾過装置を特徴とする。
【０００９】
上記装置において、前記フィルターは、前記枠体の底側を塞ぐ底面と、該底面の周囲を折り曲げることによって形成された立ち上がりを有していてもよい。
【００１０】
また、上記装置において、前記油槽の内底面に設置された前記フィルターの底面は、前記油槽の内底面の略全体を覆い、前記フィルターの立ち上がりは、隣接する立ち上がりの縁同士を互いに密着させた状態で、それらの外面を油槽の内側壁面に密着させた状態となっていてもよい。
【００１１】
上記装置において、更に、前記枠体の中空上方に配置され得る濾過材投入攪拌用の容器を有していてもよい。
【００１２】
以下、添付図面を参照しつつ、本発明の好適な一実施形態による濾過装置（オイルフィルター装置）を説明する。
【００１３】
図１に、本濾過装置の概略横断面図を、図２に、図１に示した濾過装置の概略分解斜視図を、それぞれ示す。但し、理解容易のため、図２は図１より若干簡略化して示している。
【００１４】
本濾過装置１は、主に、濾過装置部３とポンピング装置部５から成る。濾過装置部３は、油を濾過するための部分、ポンピング装置部５は、濾過装置部３から油を外部に取り出すための部分である。これらは互いに隣り合う位置に配置される。装置１の移動を容易にするため、濾過装置部３とポンピング装置部５の底部にキャスター２８を設け、また、ポンピング装置部５側の外部に取っ手２９を設ける等してもよい。
【００１５】
ポンピング装置部５は、濾過装置部３より比較的小さな箱状の外装を有する。ポンピング装置部５の内部には、例えばモーター式のポンプ２５が設けてある。このポンプ２５の働きにより、濾過装置部３とポンピング装置部５を繋ぐ配管２６を通じて、濾過装置部３からポンプ２５へと油をくみ出し、更に、ポンプ２５からポンピング装置２２の外部に設けた吐出ホース２７へと油を案内して、吐出パイプ（図示されていない）等を通じて油を外部に吐出させることができる。
【００１６】
濾過装置部３は、主に、油槽２０と、この油槽２０の内部に、図２に矢印で示すように上方から順次挿入設置され得る、底網４０、フィルター（濾過紙）５０、油槽内枠６０、こし網（カゴ）８０から成る。
【００１７】
油槽２０は、濾過装置部３の本体を成し、上方及び通過孔３２が開放された容器形状を有する。ここで、濾過すべき油は、油槽２０それ自体に入れるのではなく、油槽２０の内部に設置した油槽内枠６０に入れる点に注意していただきたい。このような構成としたため、最外郭を形成する油槽２０が濾過処理に起因して汚れることはほとんどない。油槽内枠６０を油槽２０に固定するため、油槽外部の対向する上部一対の縁に、油槽内枠６０の対応部分と着脱自在に固定され得るパチン錠（固定金具）３６が設けてある。油槽内枠６０は、このパチン錠３６を利用して、油槽２０の内底面に押し付けた状態とされると同時に、油槽２０に対して固定された状態とされ得る。尚、パチン錠を用いずに、油槽内枠６０自体に重みをつけて、従来のような、おもり式のものとしてもよい。また、このおもり式の油槽内枠６０と、パチン錠のような押し付け・固定手段を併用してもよい。
【００１８】
底網４０は、全体として平板状の略長方形状を成す。その全面には、油を自由に通過させることができる複数の穴４１が設けてある。底網４０を位置決め、或いは、設置するため、油槽２０の内底面には凹部３０が設けてある。底網４０は、この凹部３０に嵌め込むようにして設置される。底網４０が凹部３０に設置されたとき、底網４０の高さ位置４２と凹部囲部３３の高さ位置は略同じとなる。従って、油槽２０の内底は略平坦とされ得る。凹部３０の中央付近には、ポンピング装置部５へと伸びる配管２６に接続された油の通過孔３２が設けられている。通過孔３２への油の流れ込みがスムーズに行われるよう、凹部３０には、通過孔３２に向かって低くなるよう設計した傾斜面（図示されていない）を設けてもよい。
【００１９】
フィルター５０は、揚げカス等の浮遊物や沈殿物の他、粉末状の濾過材をフィルタリングする。その材質は、例えば、従来から使用されている濾過紙であってもよい。形状は多少特殊であり、ここでは、油槽２０の内底面に適合するよう、中央に矩形（長方形）の平らな底面５３を有し、更に、これを取り囲む四方の各辺に折り線５１によって仕切られた、例えば、約４０ｍｍの立ち上がり（側面）５２を有する。実際の使用時には、折り線５１に沿って側面５２を立ち上げることによって箱状にした状態で使用される。フィルター５０は、この状態で、油槽２０の上方から油槽２０の内底面へ設置される。フィルター５０を油槽２０に設置したとき、フィルター５０の底面５３は、凹部３０の略全体を覆う。このとき、フィルター５０の側面５２は、隣接する側面５２ａ、５２ｂの縁５６ａ、５６ｂ同士を互いにぴったり密着させた状態で、側面５２の外側（外面）５４を油槽２０の内側壁面３５に密着させるのが好ましい（但し、図２は、外面５４と内側壁面３５の間に多少隙間を設けた状態を示している）。これにより、油の漏えいをより効果的に防止することができる。油の漏えいをより完全に防止するため、図３に示すようなフィルター５０’を用いてもよい。フィルター５０’には、一方の縁５６ａ’に切り込み５７を設ける等して、いわゆるのりしろに類似した覆い部５５が設けてある。図３の（ａ）に示す状態から図３の（ｂ）に示す状態にフィルター５０’を組み立てる際、相手側の縁５６ｂ’を箱内に位置付けた状態で、覆い部５５はこの相手側の縁５６ｂ’を含むその外側の近傍を覆う。このような覆い部５５を設けることにより、隣接する側面５２ａ’、５２ｂ’の縁５６ａ’、５６ｂ’同士の間に生じ得る隙間を実質的になくすことができる。
【００２０】
油槽内枠６０は、平板状の４つの枠部６４から成る筒状の枠体として形成してある。油槽内枠６０は、フィルター５０の設置後に、フィルター５０と同様に、油槽２０の上方からフィルター５０の上部に設置される。油槽２０に挿入される側（底側）の大きさ、つまり、枠体６４によって取り囲まれた部分の大きさは、油槽２０やフィルター５０の底面５３よりも一回り小さいが、油槽２０の凹部３０よりは大きい。このため、油槽内枠６０が油槽２０の内部に組み込まれたとき、油槽内枠６０の底側は、フィルター５０によって完全に塞がれた状態とされ、また、フィルター５０の側面５２に取り囲まれた部分の内側で且つ凹部囲部３３の上方にて、フィルター５０の底面５３を油槽２０の内底面へ枠状に押さえ付けた状態でフィルター５０に密着される、つまり、油槽内枠６０は、油槽２０の内底面に対するフィルター５０の押さえを兼ねる。濾過を実行する際、油は油槽内枠６０（油槽２０それ自体ではない）に排油される。油槽２０のパチン錠３６に対応して、油槽内枠外部の対向する上部一対の縁には縁部６２が形成され、更に、これらの縁部６２には外側に向けて２つのＵ字状の係止部６３が設けてある。また、縁部６２や係止部６３が形成された側とは異なる、対向する上部一対の側には、油槽内枠６０の内部において、こし網８０を油槽内枠６０の上部に支持するための一対の支持棒６６が設けてある。油槽内枠６０を油槽２０に組み込んだ後、縁部６２によって油槽２０の外部に位置付けた係止部６３に、油槽２０側のパチン錠３６の係止枠３７を引っ掛けるようにして、油槽内枠６０を油槽２０に係止固定することができる。これらパチン錠３６や係止部６３は、油槽２０や油槽内枠６０の外部に配置されているため、油槽２０からの油槽内枠６０の取り付け・取付外し作業は、油槽２０の外部で行われることになり、従って、この作業中に手を汚す心配はない。
【００２１】
こし網８０は、浮遊物や沈殿物の除去とともに、濾過材の投入攪拌時における濾過材８１の過剰な広がりを防止する。こし網８０は、上方が開放された比較的小さな容器形状とされており、主に、本体部８４と、この本体部８４の上部から外部に張り出すように設けた支持板８５を有し、底網４０同様、その全面に、油を自由に通過させることができる複数の穴８３を有する。こし網８０は、本体部８４を油槽内枠６０の支持棒６６の間６７に挿入し、支持板８５を油槽内枠６０の支持棒６６に引っ掛けるようにして、油槽内枠６０の中空上部に配置される。
【００２２】
最後に、本濾過装置１の好適な一使用例を説明する。準備段階として、先ず、底網４０を油槽２０の凹部３０に設置し、次いで、フィルター５０を油槽２０の内底面に設置する。更に、フィルター５０の上部に、フィルター５０と密着させた状態で油槽内枠６０を設置する。油槽内枠６０は、油槽２０に設けた４つのパチン錠等の押し付け・固定手段を利用してフィルター５０に対して所定の力で押さえつけられ、且つ、固定される。尚、パチン錠を使用した場合には、パチン錠を利用して、油槽内枠６０をフィルター５０に対して押し付けることができるため、油槽２０自体に重みをつける必要は必ずしもなく、この結果、比較的軽い油槽内枠６０を利用し、また、油槽２０への着脱自在を容易にすることもできる。最後に、油槽内枠６０の中空上部に、こし網８０を設置する。尚、特に図示しないが、更に、油槽２０や油槽内枠６０の上部に、中央に穴を有した油槽蓋（図示されていない）を設置してもよい。油槽蓋を設けることにより、油槽からの油の飛び散りを効果的に防止することができる。
以上の準備が完了した後、濾過材８１をこし網８０に投入して、そこに一旦溜める。その後、このこし網８０に溜めた濾過材８１めがけて、フライヤー（図示されていない）から使用済みの油を排油する。尚、フライヤーからの排油時の油の温度は、例えば１３０〜１８０°等の高温であってもよい。排油後、油槽２０を約５分程度放置する。このとき、最初の１〜２分は、排油された油とこし網８０に溜めた濾過材８１内の水分とが自然反応し、これによって油と濾過材８１はこし網８０の内部で十分に攪拌、混合される。この反応は２分程度で収まる。この攪拌・混同作用は自然に生じるため、手作業による攪拌を行う必要はない。しかも、短時間で作業を完了させることができる。十分な反応と混合がなされた濾過材や油は、その後、こし網８０の穴８３を通過し、或いは、こし網８０と油槽内枠６０の隙間を通じて、こし網８０の下に落下し、その後も、攪拌されながらフィルター５０の上部に均一に堆積（８２）し得る。これらの作用を通じて、最適な濾過効率を実現し得ることができる。その後、油槽２０に排油された油を油槽２０の外部から取り出すため、ポンプ２５の運転が開始される。ポンプ２５の働きにより、油槽２０の油は、濾過材８１、８２やフィルター５０を通過し濾過された後、配管２６を通じて吐出ホース２７へ案内される。このくみ取り作業は、５、６分程度で完了する。くみ取り作業の完了時には、油槽２０の底部、更に言えば、油槽内枠６０の枠内であって且つフィルター５０の上に濾過材８２の固まりが残される。その後、パチン錠３６等を外して、油槽内枠６０を油槽２０の外部に取り出し、油槽内枠６０において、濾過材８１、８２及びくみ取り作業の油切れが十分か確認する（残り油がある場合はこの状態のまま更に１分程、くみ取り運転を行う）。油切れが十分であることを確認した後、フィルター５０を油槽２０内から取り出して廃棄する。このとき、フィルター５０の油槽２０内からの取り出しは、折り（立ち上がり）の部分５２を指でつまむことによって、簡単に、また、それほど手を汚さずに行うことができる。特に図３に示したフィルター５０’を使用した場合は、油槽２０内からフィルター５０’を取り出す際に覆い部５５の位置が多少ずれてしまったとしても、フィルター５０’内に溜まった濾過材等が容易に漏れ出ることがなく、使い勝手が非常に良い。その後、油槽内枠６０を清掃し、且つ、こし網８０を清掃して、清掃作業は完了する。尚、こし網８０には、通常、濾過材（８２）の残りが付着した状態となっているが、油槽内枠６０には、フィルター５０の底側の押さえ部６８の内側にのみ濾過材が僅かに付着している状態となっているだけで、その他の部分に濾過材の付着等による汚れは存在しない。更に、油槽内枠６０やフィルター５０を使用したことにより、油槽２０（油槽２０の内底面、内側壁面の全てにおいて）に濾過材の付着などの汚れは存在しない。したがって、洗浄が困難な油槽自体についての清掃は実質的に不要となる。
【００２３】
明らかなように、本濾過装置１によれば、油槽内枠６０を用いたことにより、濾過処理後、油槽２０内に残る濾過材は、フィルター５０の上面や油槽内枠６０の底側内壁部付近のみとなるため、濾過材の付着を（油槽内枠６０に対するもののみとして）最小限に抑えることができる。尚、油槽内枠６０の底側内壁部付近に付着した濾過材は、油槽内枠６０を取り外すことによって簡単に清掃できる。また、フィルター５０の四方５２が立ち上がっているため、フィルター５０を指でつかみ易く、また、フィルター５０を油槽２０から取り出す際も濾過材がこぼれにくいといった効果も得られる。
【産業上の利用可能性】
【００２４】
粉末状の濾過材に限らず様々なタイプの濾過装置に応用できる。
【図面の簡単な説明】
【００２５】
【図１】本発明の好適な一実施形態による濾過装置の概略横断面図である。
【図２】図１の濾過装置の概略分解斜視図である。
【図３】フィルターの他の実施形態を示す図である。
【符号の説明】
【００２６】
１    濾過装置
３    濾過装置部
５    ポンピング装置部
２０  油槽
２５  ポンプ
２６  配管
２７  吐出ホース
２８  キャスター
２９  取っ手
３０  凹部
３２  通過孔
３３  凹部囲部
３５  側面内壁
３６  パチン錠
３７  係止穴
４０  底網
４１  穴
４２  高さ位置
５０  フィルター
５１  折り線
５２  立ち上がり（側面）
５３  底面
５４  外面
６０  油槽内枠
６２  縁部
６３  係止部
６４  枠部
６６  支持棒
６７  隙間
６８  押さえ部
８０  こし網
８１  濾過材
８２  濾過材
８３  穴
８４  本体部
８５  支持板
【図１】
2008148966.tif 000003
【図２】
2008148966.tif 000004
【図３】
2008148966.tif 000005